(57)【特許請求の範囲】
【請求項１】
圧縮機、レシーバタンク、油分離器及び気液分離器を備えると共に、機体外蒸発器、機体外凝縮器等と配管接続されて冷凍サイクルを構成する冷凍機ユニットであって、
ユニットベース上に前記圧縮機及びレシーバタンクを固定し、前記ユニットベースに少なくとも１つの支柱板を立設し、該支柱板には前記油分離器を固定すると共に前記レシーバタンクとで水平載置板を支持し、該水平載置板上に当該冷凍機ユニットを制御する制御装置を収納する電装箱を載置したことを特徴とする冷凍機ユニット。
【請求項２】
前記ユニットベースに２つの支柱板を立設し、前記油分離器及び気液分離器の下方に配管設置用スペースを確保できるように前記各支柱板に浮かせた状態で夫々固定したことを特徴とする請求項１に記載の冷凍機ユニット。
【請求項３】
前記ユニットベース前部に固定された前記圧縮機の上方を避けて前記支柱板及びレシーバタンクとで水平載置板を支持したことを特徴とする請求項１に記載の冷凍機ユニット。
【発明の詳細な説明】
【０００１】
【発明の属する技術分野】
本発明は冷凍機ユニットに関するもので、詳述すれば、圧縮機、レシーバタンク、油分離器及び気液分離器を備えると共に、機体外蒸発器、機体外凝縮器等と配管接続されて冷凍サイクルを構成する冷凍機ユニットに関するものである。
【０００２】
【従来の技術】
斯かる従来の冷凍機ユニットは、図３、４及び５に示すように、冷凍サイクルを構成する機能部品はユニットベース１上に直接固定されている。即ち、圧縮機２及びレシーバタンク３ばかりか、電装箱４、油分離器５、気液分離器６等も直接固定されている。
【０００３】
【発明が解決しようとする課題】
従って、冷凍機ユニットの設置面積が大きくならざるを得なかった。そこで、本発明は冷凍機ユニットの設置面積の低減を図ることを目的とする。
【０００４】
【課題を解決するための手段】
このため本発明は、圧縮機、レシーバタンク、油分離器及び気液分離器を備えると共に、機体外蒸発器、機体外凝縮器等と配管接続されて冷凍サイクルを構成する冷凍機ユニットであって、ユニットベース上に前記圧縮機及びレシーバタンクを固定し、前記ユニットベースに少なくとも１つの支柱板を立設し、該支柱板には前記油分離器を固定すると共に前記レシーバタンクとで水平載置板を支持し、該水平載置板上に当該冷凍機ユニットを制御する制御装置を収納する電装箱を載置したものである。
【０００５】
また本発明は、前記ユニットベースに２つの支柱板を立設し、前記油分離器及び気液分離器の下方に配管設置用スペースを確保できるように前記各支柱板に浮かせた状態で夫々固定したものである。
【０００６】
更に本発明は、前記ユニットベース前部に固定された前記圧縮機の上方を避けて前記支柱板及びレシーバタンクとで水平載置板を支持したものである。
【０００７】
【発明の実施の形態】
図１及び図２に基づき、本発明の実施の形態を以下説明する。図１は本発明の冷凍機ユニットの正面図、図２は本発明の冷凍機ユニットの平面図を示す。
【０００８】
平面状の載置面を有するユニットベース１０上に、冷媒を吸入圧縮して高温高圧にする２台の圧縮機１１、１２をメンテナンスを考慮してその前方位置に横並び状態に並設する。そして、該圧縮機１１の背方には後述する油分離器１３及び気液分離器１４を配設し、該圧縮機１２の背方には前記ユニットベース１０上にレシーバタンク１５を固定する。
【０００９】
前記圧縮機１１の後ろ側の前記ユニットベース１０の左端部には、第１の支柱板１６を立設し、また前記ユニットベース１０上の左右方向の略中心位置でかつ後端部には平面視コ字形状の第２の支柱板１７を立設する。そして、該両支柱板、１６、１７及び前記レシーバタンク１５により支持される平面状の水平載置板１８上に当該冷凍機ユニットを制御する制御装置を収納する電装箱１９を載置し固定する。即ち、第１の支柱板１６の上端の前部には内方へ折曲した支持片を形成し、該支持片に前記水平載置板１８の左端部を固定し、前記第２の支柱板１７の前側折曲部の上端に前記水平載置板１８の右後端部を固定し、また水平載置板１８の右端部をレシーバタンク１５に固定具２４を介して固定することにより、水平載置板１７は該両支柱板１６、１７及び前記レシーバタンク１５により支持され、該水平載置板１８上に前記電装箱１９は載置される。
【００１０】
上方から見て水平載置板１８の後方に前記第１の支柱板１６に固定具２０を介して前記油分離器１３をユニットベース１０に接することなく浮かせた状態で固定し、また同じく水平載置板１８の後方には前記第２の支柱板１７に固定具２１を介して前記気液分離器１４を前記ユニットベース１０に接することなく浮かせた状態で固定する。尚、支柱板１７は水平載置板１８も支持するが、気液分離器１４を主として支持する。また、前記第２の支柱板１７に固定具２２を介してドライコア２３を前記ユニットベース１０に接することなく浮かせた状態で固定する。前記油分離器１３は前記圧縮機１１、１２から吐出される高温高圧の冷媒ガス内に含まれる油を分離するものである。
【００１１】
前記レシーバタンク１５は、機体外凝縮器で液化された冷媒を貯留するもので、該圧縮機１２の背方でかつ前記電装箱１９の右側方の前記ユニットベース１０上に固定される。
【００１２】
以上のように構成された本実施形態の冷凍機ユニットは、機体外の凝縮器や機体外の蒸発器の冷媒配管に溶接接続される。さて、圧縮機１１、１２で圧縮された高温高圧冷媒は、機体外の凝縮器に供給され、ここで凝縮液化されてレシーバタンク１５に溜められる。
【００１３】
レシーバタンク１５からは、高圧液冷媒が当該冷凍機ユニットに配管接続された膨張弁を通ることにより減圧膨張されて、機体外蒸発器に供給される。そして、低圧冷媒ガスは冷凍機ユニットの気液分離器１４に入り、気液分離された後、気体分のみが圧縮機１１、１２に戻されて再圧縮され、上記の冷凍サイクルを繰り返す。
【００１４】
【発明の効果】
以上説明したように本発明は、圧縮機、レシーバタンク、油分離器及び気液分離器を備えると共に、機体外蒸発器、機体外凝縮器等と配管接続されて冷凍サイクルを構成する冷凍機ユニットであって、ユニットベース上に前記圧縮機及びレシーバタンクを固定し、前記ユニットベースに少なくとも１つの支柱板を立設し、該支柱板には前記油分離器を固定すると共に前記レシーバタンクとで水平載置板を支持し、該水平載置板上に当該冷凍機ユニットを制御する制御装置を収納する電装箱を載置したから、少なくとも電装箱の底面積分の設置面積を減少することができる。
【００１５】
また本発明は、前記ユニットベースに２つの支柱板を立設し、前記油分離器及び気液分離器の下方に配管設置用スペースを確保できるように前記各支柱板に浮かせた状態で夫々固定したから、該スペースを有効に利用することにより当該冷凍機ユニットの設置面積を大幅に減少することができる。
【００１６】
更に本発明は、前記ユニットベース前部に固定された前記圧縮機の上方を避けて前記支柱板及びレシーバタンクとで水平載置板を支持したから、圧縮機の交換その他メンテナンスがし易くなる。
【図面の簡単な説明】
【図１】図１は本発明の冷凍機ユニットの正面図である。
【図２】図２は本発明の冷凍機ユニットの平面図である。
【図３】図３は従来の冷凍機ユニットの正面図である。
【図４】図４は従来の冷凍機ユニットの平面図である。
【図５】図５は従来の冷凍機ユニットの右側面図である。
【符号の説明】
１          ユニットベース
１１、１２  圧縮機
１３        油分離器
１４        気液分離器
１５        レシーバタンク
１６        第１の支柱板
１７        第２の支柱板
１８        水平載置板
１９        電装箱
２０、２１、２２、２４    固定具
【図１】
0003733001.tif 000002
【図２】
0003733001.tif 000003
【図３】
0003733001.tif 000004
【図４】
0003733001.tif 000005
【図５】
0003733001.tif 000006